(57)【要約】基地局とユーザ装置とを有する無線通信システムにおけるユーザ装置であって、上りリンクにおける通信を開始する際に用いられる複数のアクセス方式のうち、いずれか１つのアクセス方式を選択する選択部と、選択されたアクセス方式で規定される処理手順に従って前記基地局に上りリンクの信号を送信する通信部と、を有するユーザ装置を提供する。
2017169113.tif 000002
【特許請求の範囲】
【請求項１】
基地局とユーザ装置とを有する無線通信システムにおけるユーザ装置であって、
上りリンクにおける通信を開始する際に用いられる複数のアクセス方式のうち、いずれか１つのアクセス方式を選択する選択部と、
選択されたアクセス方式で規定される処理手順に従って前記基地局に上りリンクの信号を送信する通信部と、
を有するユーザ装置。
【請求項２】
前記基地局から、所定のパラメータとアクセス方式とが対応づけられたアクセス方式指示情報を取得する取得部、を有し、
前記選択部は、取得したアクセス方式指示情報と、当該ユーザ装置において認識される前記所定のパラメータとを比較することで、前記いずれか１つのアクセス方式を選択する、
請求項１に記載のユーザ装置。
【請求項３】
前記基地局から、所定のパラメータとグループとが対応づけられたグループ情報と、グループごとにアクセス方式が対応づけられたアクセス方式指示情報とを前記基地局から取得する取得部、を有し、
前記選択部は、取得したグループ情報と、当該ユーザ装置において認識される前記所定のパラメータとを比較することで、当該ユーザ装置が属するグループを判断すると共に、当該ユーザ装置が属するグループと前記アクセス方式指示情報とを比較することで、前記いずれか１つのアクセス方式を選択する、
請求項１に記載のユーザ装置。
【請求項４】
前記選択部は、前記通信部において、前記選択されたアクセス方式で規定される処理手順に従って送信した上りリンクの信号に対する前記基地局からの応答が受信されない場合、前記選択されたアクセス方式とは異なる他のアクセス方式を選択し、
前記通信部は、前記他のアクセス方式で規定される処理手順に従って前記基地局に上りリンクの信号を送信する、
請求項１に記載のユーザ装置。
【請求項５】
前記複数のアクセス方式のうち、最初に選択すべきアクセス方式と、選択したアクセス方式に従って送信した上りリンクの信号に対する前記基地局からの応答を受信できない場合に選択すべきアクセス方式とを示すアクセス方式切替え情報を前記基地局から取得する取得部と、を有し、
前記選択部は、前記アクセス方式切替え情報に示される順序に基づいてアクセス方式を選択する、
請求項４に記載のユーザ装置。
【請求項６】
前記通信部は、選択されたアクセス方式で規定される処理手順に従って前記基地局に上りリンクの信号を送信する場合、前記選択されたアクセス方式に対して予め規定された無線リソースを用いて前記上りリンクの信号を送信する、
請求項１乃至５のいずれか一項に記載のユーザ装置。
【請求項７】
基地局とユーザ装置とを有する無線通信システムにおけるユーザ装置が実行する通信方法であって、
上りリンクにおける通信を開始する際に用いられる複数のアクセス方式のうち、いずれか１つのアクセス方式を選択するステップと、
選択されたアクセス方式で規定される処理手順に従って前記基地局に上りリンクの信号を送信するステップと、
を有する通信方法。
【発明の詳細な説明】
【技術分野】
【０００１】
本発明は、ユーザ装置及び通信方法に関する。
【背景技術】
【０００２】
ＬＴＥ（Long Term Evolution）では、システム容量の更なる大容量化、データ伝送速度の更なる高速化、無線区間における更なる低遅延化などを実現するために、５Ｇと呼ばれる次世代の無線通信システムの検討が進んでいる。【０００３】
５Ｇでは、１０Ｇｂｐｓ以上のスループットを実現しつつ無線区間の遅延を１ｍｓ以下にするという要求条件を満たすために、様々な要素技術の検討が行われている。また、ＩｏＴ（Internet of Things）に代表されるようなサービスに対応するため、膨大な数のＭＴＣ（Machine Type Communication）端末が５Ｇの無線ネットワークを介してデータ送信を行うことを可能にするための要素技術の検討が行われている。なお、大量のＭＴＣ端末がネットワークにアクセス可能にする技術は、５ＧではｍＭＴＣ（Massive machine-type-communications）と呼ばれている。
【先行技術文献】
【非特許文献】
【０００４】
【非特許文献１】３ＧＰＰ  ＴＲ３８．９１３  Ｖ０．２．０（２０１６−０２）
【非特許文献２】３ＧＰＰ  ＴＳ３６．３００  Ｖ１３．２．０（２０１５−１２）
【発明の概要】
【発明が解決しようとする課題】
【０００５】
ここで、ネットワークに対して大量のＭＴＣ端末からのアクセスが生じた場合、ネットワークとの間で送受信されるシグナリングメッセージ（制御信号）の量が膨大になってしまうことが懸念される。例えば、従来のＬＴＥでは、ＲＡ手順（ランダムアクセス手順）を用いて基地局がＵＬ（Uplink）通信を全て制御するアクセス方式を採用しているため、仮に大量のＭＴＣ端末からのアクセスが生じてしまうと、ＲＡ手順に用いられるシグナリングメッセージの量が膨大になってしまうことになる。【０００６】
そこで、シグナリングメッセージの量を低減するために、基地局がＵＬ通信を全て制御するのではなく、ＭＴＣ端末間でのＵＬ信号の衝突（Contention）を許容することで、シグナリングメッセージの量を低減させるようなアクセス方式が用いられることが考えられる。このようなアクセス方式を用いることで、大量のＭＴＣ端末からのアクセスが生じたとしても、シグナリングメッセージの量を低減することができると考えられる。【０００７】
一方で、ＭＴＣ端末の用途によっては、トラフィック量に時間的な偏りが生じることが想定される。例えば、図１に示すように、多数のＭＴＣ端末が特定の時間帯で一斉にデータを送信するというような状況が想定される。このような状況で上述のＭＴＣ端末間でのＵＬ信号の衝突を許容するようなアクセス方式を用いた場合、各ＭＴＣ端末から送信されるＵＬ信号が干渉してしまい、ＵＬ信号が基地局に届かなくなる可能性がある。また、このような問題はＭＴＣ端末に限られず、どのような端末からのアクセスであっても発生し得る。【０００８】
このような状況を鑑みると、端末の数及びトラフィック量などに基づいて、様々なアクセス方式を適応的に切替えることが可能な仕組みが必要であると考えられる。しかしながら、特に３ＧＰＰの上りリンクの規定において、様々なアクセス方式を適応的に切替えることが可能な技術は存在しない。【０００９】
開示の技術は上記に鑑みてなされたものであって、様々なアクセス方式を適応的に切替えることが可能な技術を提供することを目的とする。
【課題を解決するための手段】
【００１０】
開示の技術のユーザ装置は、基地局とユーザ装置とを有する無線通信システムにおけるユーザ装置であって、上りリンクにおける通信を開始する際に用いられる複数のアクセス方式のうち、いずれか１つのアクセス方式を選択する選択部と、選択されたアクセス方式で規定される処理手順に従って前記基地局に上りリンクの信号を送信する通信部と、を有する。
【発明の効果】
【００１１】
開示の技術によれば、様々なアクセス方式を適応的に切替えることが可能な技術が提供される。
【図面の簡単な説明】
【００１２】
【図１】トラフィックの偏りを示す図である。
【図２】実施の形態に係る無線通信システムの構成例を示す図である。
【図３】ＬＴＥで規定されているＲＡ手順（ランダムアクセス手順）を示す図である。
【図４】実施の形態で用いられるアクセス方式の一例を説明するための図である。
【図５】アクセス方式の選択方法１−１における処理手順を示すシーケンス図である。
【図６Ａ】アクセス方式指示情報の一例を示す図である。
【図６Ｂ】アクセス方式指示情報の一例を示す図である。
【図６Ｃ】アクセス方式指示情報の一例を示す図である。
【図７】アクセス方式の選択方法１−３における処理手順を示すシーケンス図である。
【図８Ａ】グループ情報及びアクセス方式指示情報の一例を示す図である。
【図８Ｂ】グループ情報及びアクセス方式指示情報の一例を示す図である。
【図９】アクセス方式の選択方法１−３を用いた場合の無線通信システムの動作例を示す図である。
【図１０】アクセス方式の選択方法２−１における処理手順を示すシーケンス図である。
【図１１】アクセス方式の選択方法２−２における処理手順を示すシーケンス図である。
【図１２Ａ】無線リソースの割当て方法の一例を示す図である。
【図１２Ｂ】無線リソースの割当て方法の一例を示す図である。
【図１３Ａ】グループ情報及びアクセス方式指示情報の一例を示す図である。
【図１３Ｂ】グループ情報及びアクセス方式指示情報の一例を示す図である。
【図１４】実施の形態に係るユーザ装置の機能構成の一例を示す図である。
【図１５】実施の形態に係る基地局の機能構成の一例を示す図である。
【図１６】実施の形態に係るユーザ装置のハードウェア構成の一例を示す図である。
【図１７】実施の形態に係る基地局のハードウェア構成の一例を示す図である。
【発明を実施するための形態】
【００１３】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥ（５Ｇを含む）に準拠した方式のシステムを想定しているが、本発明はＬＴＥ（５Ｇを含む）に限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１４】
＜システム構成＞
図２は、実施の形態に係る無線通信システムの構成例を示す図である。図２に示すように、本実施の形態に係る無線通信システムは、基地局ｅＮＢとユーザ装置ＵＥとを有する。図２の例では、基地局ｅＮＢ及びユーザ装置ＵＥが１つずつ図示されているが、複数の基地局ｅＮＢを有していてもよいし、複数のユーザ装置ＵＥを有していてもよい。
【００１５】
＜ＬＴＥにおけるＲＡ手順について＞
ここで、図３を用いて、ＬＴＥで規定されているＲＡ手順（ランダムアクセス手順）について説明する。ＲＡ手順を開始する前に、ユーザ装置ＵＥは、基地局ｅＮＢから送信されている同期信号を受信することで、無線フレーム同期（シンボルタイミング同期を含む）を行うと共に、報知情報（ＭＩＢ（Master Information Block）及びＳＩＢ（System Information Block））を受信することで、システム帯域幅、システムフレーム番号（ＳＦＮ：System Frame Number）、セルに関する各種の情報、及び、ＲＡ手順を行うための各種の情報を取得する。
【００１６】
まず、ユーザ装置ＵＥは、複数のＲＡプリアンブルの候補から任意のＲＡプリアンブルを選択し、選択したＲＡプリアンブル（ＲＡＣＨプリアンブルとも呼ばれる）を基地局ｅＮＢに送信する（Ｓ１１）。ＲＡプリアンブルを送信するためのメッセージは、Ｍｅｓｓａｇｅ１と呼ばれ、ユーザ装置ＵＥがＲＡ手順を開始する際に用いるメッセージでもある。続いて、基地局ｅＮＢは、ユーザ装置ＵＥから送信されたＲＡプリアンブルを検出し、ＲＡＣＨレスポンスをユーザ装置ＵＥに送信する（Ｓ１２）。ＲＡＣＨレスポンスは、Ｍｅｓｓａｇｅ２と呼ばれ、検出したＲＡプリアンブル、一時的なＵＥ−ＩＤ（テンポラリＣ−ＲＮＴＩ（Temporary Cell Radio Network Temporary Identifier））、Ｔｉｍｉｎｇ  Ａｌｉｇｈｍｅｎｔ制御情報（送信タイミング情報）、及び、ＵＬ（Uplink）スケジューリング情報（Ｍｅｓｓａｇｅ３送信のためのＵＬグラント）が含まれる。
【００１７】
続いて、ユーザ装置ＵＥは、ＲＡＣＨレスポンスに含まれるＵＬスケジューリング情報で指定された無線リソースを用いて、ＲＡＣＨレスポンスに含まれる送信タイミング情報に従ってＣｏｎｔｒｏｌ  ｍｅｓｓａｇｅを基地局３に送信する（Ｓ１３）。Ｃｏｎｔｒｏｌ  ｍｅｓｓａｇｅは、Ｍｅｓｓａｇｅ３とも呼ばれ、上位レイヤ（ＲＲＣ）の信号を含む。また、ユーザ装置ＵＥは、ＲＡＣＨレスポンスに含まれる一時的なＵＥ−ＩＤを用いて、端末識別子（UE Contention Resolution Identity）を含むＣｏｎｔｒｏｌ  ｍｅｓｓａｇｅを基地局ｅＮＢに送信する。
【００１８】
続いて、基地局ｅＮＢは、一時的なＵＥ−ＩＤ（テンポラリＣ−ＲＮＴＩ）を用いてＣｏｎｔｒｏｌ  ｍｅｓｓａｇｅを受信し、ＲＲＣ接続又はＲＲＣ再接続のためのＲＲＣメッセージ（RRC Connection setup 又は RRC Connection Reestablishment）をユーザ装置ＵＥに送信する（Ｓ１４）。当該ＲＲＣメッセージは、Ｍｅｓｓａｇｅ４とも呼ばれる。ここで、基地局ｅＮＢは、Ｃｏｎｔｒｏｌ  ｍｅｓｓａｇｅに含まれていた端末識別子（UE Contention Resolution Identity）を当該ＲＲＣメッセージに含めて送信する。また、基地局ｅＮＢは、複数のユーザ装置ＵＥからＣｏｎｔｒｏｌ  ｍｅｓｓａｇｅを受信した場合、いずれか１つのユーザ装置ＵＥからのＣｏｎｔｒｏｌ  ｍｅｓｓａｇｅを選択し、選択したＣｏｎｔｒｏｌ  ｍｅｓｓａｇｅに含まれる端末識別子（UE Contention Resolution Identity）を含むＲＲＣメッセージを送信する。
【００１９】
ユーザ装置ＵＥは、自身がＣｏｎｔｒｏｌ  ｍｅｓｓａｇｅに含めた端末識別子がＲＲＣメッセージに含まれていた場合にＲＡ手順に成功したと判断し、含まれていない場合にＲＡ手順に失敗した（他のユーザ装置ＵＥとＲＡ手順が衝突した）と判断する。
【００２０】
続いて、ＲＡ手順に成功したと判断したユーザ装置ＵＥは、基地局ｅＮＢとの間で共有チャネル（Shared Channel）を用いてデータの送受信を開始する（Ｓ１５）。なお、ユーザ装置ＵＥは、一時的なＵＥ−ＩＤを自身に割当てられたＵＥ−ＩＤ（Ｃ−ＲＮＴＩ）とみなすようにする。一方、ＲＡ手順に失敗したと判断したユーザ装置ＵＥは、ＲＡプリアンブルを送信する際の送信電力を上げて再度ステップＳ１１の処理手順を行う。本処理手順は、送信電力制御（Power ramping）と呼ばれる。
【００２１】
以上説明したＲＡ手順を整理すると、図３に示すように、Ｍｅｓｓａｇｅ１により「送信電力制御」の制御が行われ、Ｍｅｓｓａｇｅ２により「Ｔｉｍｉｎｇ  Ａｌｉｇｈｍｅｎｔ制御」、「ＵＥ−ＩＤの割当て」及び「ＵＬスケジューリング情報の割当て」の制御が行われ、Ｍｅｓｓａｇｅ３及びＭｅｓｓａｇｅ４により「ＵＥ−ＩＤの衝突解決」の制御が行われていると言うことができる。
【００２２】
＜本実施の形態で用いるアクセス方式について＞
本実施の形態では、ユーザ装置ＵＥがネットワークにアクセスする際に用いるアクセス方式として、シグナリング量及び処理負荷が異なる複数のアクセス方式を用いることを許容する。また、トラフィック状況等に応じて、ユーザ装置ＵＥが用いるアクセス方式を適応的に切替えることを可能にする。
【００２３】
図４は、実施の形態で用いられるアクセス方式の一例を説明するための図である。図４に示すように、アクセス方式１では、「無線フレーム同期」、「報知情報の受信」、「Ｔｉｍｉｎｇ  Ａｌｉｇｈｍｅｎｔ制御」、「送信電力制御」、「ＵＥ−ＩＤの割当て」、「ＵＥ−ＩＤの衝突解決」及び「ＵＬスケジューリング情報の割当て」の全ての制御をサポートするアクセス方式であり、ＬＴＥにおけるＲＡ手順と同様のシグナリングメッセージ（つまり、Ｍｅｓｓａｇｅ１〜Ｍｅｓｓａｇｅ４に相当するメッセージ）が用いられることを想定している。アクセス方式１は、基地局ｅＮＢでＵＬ通信を全て制御することが可能であるという利点と、基地局ｅＮＢは、アクセス方式１の中で用いられるシグナリングメッセージ（ＬＴＥにおけるＭｅｓｓａｇｅ３に相当するメッセージ）を復号する際、自身がＵＬスケジューリング情報で割当てた無線リソースのみを復号すればよいという利点がある。
【００２４】
アクセス方式２は、「無線フレーム同期」、「報知情報の受信」、「Ｔｉｍｉｎｇ  Ａｌｉｇｈｍｅｎｔ制御」、「送信電力制御」及び「ＵＥ−ＩＤの割当て」の制御をサポートするアクセス方式であり、ＬＴＥにおけるＲＡ手順のうちＭｅｓｓａｇｅ１及びＭｅｓｓａｇｅ２に相当するシグナリングメッセージのみが用いられることを想定している。アクセス方式２では、「ＵＥ−ＩＤの衝突解決」及び「ＵＬスケジューリング情報の割当て」の制御をサポートしないものの、シグナリング量を削減することができるという利点を有する。
【００２５】
アクセス方式３は、「無線フレーム同期」及び「報知情報の受信」の制御のみをサポートするアクセス方式であり、ＬＴＥにおけるＲＡ手順のうちＭｅｓｓａｇｅ１〜Ｍｅｓｓａｇｅ４に相当するシグナリングメッセージを用いずに直接ネットワークにデータを送信する（図３の例では、ステップＳ１５の処理手順のみを行う）ことが可能なアクセス方式である。アクセス方式３では、「Ｔｉｍｉｎｇ  Ａｌｉｇｈｍｅｎｔ制御」、「送信電力制御」、「ＵＥ−ＩＤの割当て」、「ＵＥ−ＩＤの衝突解決」及び「ＵＬスケジューリング情報の割当て」の機能をサポートしないものの、アクセス方式２よりも更にシグナリング量を削減することができるという利点を有する。
【００２６】
なお、以上説明したアクセス方式１〜３はあくまで一例であり、これに限られない。本実施の形態では、シグナリングメッセージの量又はサポートする機能が異なる様々なアクセス方式をサポートすることが可能である。また、サポートするアクセス方式の数についても制約はない。例えば、本実施の形態では、２種類のアクセス方式のみをサポートしていてもよいし、４種類以上のアクセス方式をサポートしていてもよい。
【００２７】
＜アクセス方式の選択方法について＞
続いて、基地局ｅＮＢとの間で無線リンクを確立していないユーザ装置ＵＥが、基地局ｅＮＢとの間でデータの送受信を開始する場合に用いるアクセス方式を選択する方法について具体的に説明する。
【００２８】
（選択方法１−１）
選択方法１−１では、ユーザ装置ＵＥは、基地局ｅＮＢから指示された１以上のアクセス方式のうち、いずれか１つのアクセス方式を用いて基地局ｅＮＢと通信する。
【００２９】
図５は、アクセス方式の選択方法１−１における処理手順を示すシーケンス図である。基地局ｅＮＢは、ユーザ装置ＵＥが用いるべきアクセス方式を示すアクセス方式指示情報をユーザ装置ＵＥに送信する（Ｓ２１）。基地局ｅＮＢは、アクセス方式指示情報を報知情報を用いてセル内のユーザ装置ＵＥにブロードキャスト（報知）するようにしてもよいし、制御チャネルで用いられるユーザ装置ＵＥ個別のシグナリングメッセージ（例えばＲＲＣメッセージ又はＤＣＩ（Downlink Control Information）など）を用いて、ユーザ装置ＵＥ個別に通知するようにしてもよい。続いて、ユーザ装置ＵＥは、アクセス方式指示情報に基づいてアクセス方式を選択し（Ｓ２２）、選択したアクセス方式を用いてＵＬ信号の送信を開始する（Ｓ２３）。
【００３０】
図６Ａは、特定の１つのアクセス方式のみを含むアクセス方式指示情報の例を示している。図６Ａに示すアクセス方式指示情報を用いることで、基地局ｅＮＢは、ユーザ装置ＵＥに特定のアクセス方式のみを実行させることができる。図６Ｂは、複数のアクセス方式を含むアクセス方式指示情報の例を示している。図６Ｂの場合、ユーザ装置ＵＥは、アクセス方式指示情報に含まれる複数のアクセス方式のうちいずれか１つのアクセス方式を任意に選択するようにしてもよいし、ユーザ装置ＵＥ自身がサポートしている（対応している）アクセス方式を選択するようにしてもよい。
【００３１】
（選択方法１−２）
選択方法１−２では、基地局ｅＮＢは、所定のパラメータとアクセス方式とが対応づけられたアクセス方式指示情報をユーザ装置ＵＥに通知する。また、ユーザ装置ＵＥは、アクセス方式指示情報と自身が認識した（又は選択した）所定のパラメータとを比較することで、いずれか１つのアクセス方式を選択し、選択したアクセス方式を用いて基地局ｅＮＢと通信する。
【００３２】
所定のパラメータは、どのようなパラメータであってもよいが、例えば、ＲＳＲＰ（Receiving Signal Received Poser）である。また、これに限られず、ＲＳＲＱ（Receiving Signal Received Quality）でもよいし、ＳＩＮＲ（Signal−to−Interference plus Noise power Ratio）でもよいし、ＲＳＳＩ（Received Signal Strength Indicator）でもよいし、ＳＮＲ（Signal-to-Noise Ratio）でもよい。また、変調方式（ＱＰＳＫ、１６ＱＡＭ、６４ＱＡＭなど）であってもよいし、ＵＬで送信すべきデータサイズであってもよい。
【００３３】
図６Ｃは、選択方法１−２におけるアクセス方式指示情報の例を示している。なお、図６Ｃの例では、所定のパラメータとして、ＲＳＲＰが用いられる場合を示している。ユーザ装置ＵＥは、基地局ｅＮＢとの間でデータの送受信を開始する場合、基地局ｅＮＢから送信されている無線信号のＲＳＲＰを測定する。続いて、ユーザ装置ＵＥは、測定したＲＳＲＰとアクセス方式指示情報とを比較することで、測定したＲＳＲＰに対応づけられているアクセス方式を選択し、選択したアクセス方式を用いて基地局ｅＮＢと通信する。
【００３４】
（選択方法１−３）
選択方法１−３は、ユーザ装置ＵＥを所定のパラメータに応じてグループ分けを行い、当該グループとアクセス方式とを対応づけるようにする。所定のパラメータは選択方法１−２と同一である。
【００３５】
図７は、アクセス方式の選択方法１−３における処理手順を示すシーケンス図である。選択方法１−３では、基地局ｅＮＢは、所定のパラメータとグループとが対応づけられたグループ情報をユーザ装置ＵＥに通知する（Ｓ３１）し、更に、グループごとにアクセス方式が対応づけられたアクセス方式指示情報をユーザ装置ＵＥに通知する（Ｓ３２）。
基地局ｅＮＢは、グループ情報及びアクセス方式指示情報を報知情報を用いてセル内のユーザ装置ＵＥにブロードキャスト（報知）するようにしてもよいし、制御チャネルで用いられるユーザ装置ＵＥ個別のシグナリングメッセージ（例えばＲＲＣメッセージ又はＤＣＩなど）を用いて、ユーザ装置ＵＥ個別に通知するようにしてもよい。また、基地局ｅＮＢは、グループ情報（又はアクセス方式指示情報）を報知情報でブロードキャストし、アクセス方式指示情報（又はグループ情報）をユーザ装置ＵＥ個別のシグナリングメッセージを用いて通知するようにしてもよい。
【００３６】
続いて、ユーザ装置ＵＥは、グループ情報と自身が認識した（又は選択した）所定のパラメータとを比較することで、自身が属するグループを判断する（Ｓ３３）。続いて、ユーザ装置ＵＥは、自身が属するグループとアクセス方式指示情報とを比較することで、自身が属するグループに対応づけられているアクセス方式を選択し（Ｓ３４）、選択したアクセス方式を用いて基地局ｅＮＢと通信する（Ｓ３５）。
【００３７】
図８Ａは、グループ情報の一例を示しており、図８Ｂは、選択方法１−３におけるアクセス方式指示情報の一例を示している。図８Ａ及び図８Ｂの例では、例えば、測定されたＲＳＲＰがＸ（ｄＢ）からＹ（ｄＢ）の間であるユーザ装置ＵＥは、アクセス方式２を用いて基地局ｅＮＢと通信することになる。図９に、アクセス方式の選択方法１−３を用いた場合の無線通信システムの動作例を示す。図９の例では、基地局ｅＮＢから遠いユーザ装置ＵＥはグループ３に所属しており、アクセス方式１を用いて通信を行うことになる。また、基地局ｅＮＢに近いユーザ装置ＵＥはグループ１に所属しており、アクセス方式３を用いて通信を行うことになる。
【００３８】
選択方法１−３では、基地局ｅＮＢは、アクセス方式指示情報を更新することで、グループとアクセス方式との対応づけを任意に変更することが可能である。
【００３９】
（選択方法２−１）
選択方法２−１では、ユーザ装置ＵＥは自律的にアクセス方式を決定して基地局ｅＮＢとの通信を試みると共に、基地局ｅＮＢからの応答が受信できない場合に、他のアクセス方式に切り替えて基地局ｅＮＢとの通信を試みるようにする。
【００４０】
図１０は、アクセス方式の選択方法２−１における処理手順を示すシーケンス図である。まず、ユーザ装置ＵＥは、アクセス方式３を用いて基地局ｅＮＢへのアクセスを試みる（Ｓ４１）。基地局ｅＮＢから応答信号を受信できない場合（又は基地局ｅＮＢから明示的にＮＡＣＫが通知された場合）（Ｓ４２）、再度アクセス方式３を用いてＵＬ信号を基地局ｅＮＢに送信する（Ｓ４３）。基地局ｅＮＢから応答信号を受信できない場合（又は基地局ｅＮＢから明示的にＮＡＣＫが通知された場合）（Ｓ４４）、アクセス方式１を用いてＵＬ信号を送信する（Ｓ４５）。
【００４１】
図１０では、ユーザ装置ＵＥは、アクセス方式３を用いたアクセスが２回失敗した場合に、アクセス方式１を用いているが、あくまで一例であり、ユーザ装置ＵＥは、どのような順序でアクセス方式を切替えるようにしてもよい。例えば、ユーザ装置ＵＥは、１回目はアクセス方式３、２回目はアクセス方式２、３回目以降はアクセス方式１というようにアクセス方式を切替えるようにしてもよい。また、ユーザ装置ＵＥは、１回目はアクセス方式１、２回目はアクセス方式２、３回目以降はアクセス方式３というようにアクセス方式を切替えるようにしてもよい。
【００４２】
（選択方法２−２）
選択方法２−１では、ユーザ装置ＵＥは、自らの判断でアクセス方式を切替えるようにしたが、選択方法２−２では、アクセス方式を切替える順序を示すアクセス方式切替情報を基地局ｅＮＢからユーザ装置ＵＥに通知するようにする。
【００４３】
図１１は、アクセス方式の選択方法２−２における処理手順を示すシーケンス図である。基地局ｅＮＢは、アクセス方式切替情報をユーザ装置ＵＥに通知する（Ｓ５１）。なお、基地局ｅＮＢは、アクセス方式切替情報を、報知情報を用いてセル内のユーザ装置ＵＥにブロードキャスト（報知）するようにしてもよいし、制御チャネルで用いられるユーザ装置ＵＥ個別のシグナリングメッセージ（例えばＲＲＣメッセージ又はＤＣＩなど）を用いて、ユーザ装置ＵＥ個別に通知するようにしてもよい。
【００４４】
＜アクセス方式毎の無線リソースについて＞
本実施の形態では、アクセス方式毎に、特定の無線リソースを割当てるようにしてもよい。例えば図１２Ａに示すように、アクセス方式１においてＬＴＥにおけるランダムアクセス手順相当の処理手順を行う際に用いられる無線リソースと、アクセス方式１により基地局ｅＮＢとの間に確立されたコネクションを用いてデータ送信を行う際に用いられる無線リソースと、アクセス方式３において基地局ｅＮＢにデータを送信する際に用いられる無線リソースとを、周波数方向又は（及び）時間方向で分割するようにしてもよい。
【００４５】
また、上述したアクセス方式の選択方法１−３を用いる場合、例えば図１３Ａに示すグループ情報及び図１３Ｂに示すアクセス方式指示情報を用いることで同一のアクセス方式に複数のグループを割当てるようにしておき、同一のアクセス方式を用いるグループ毎に、それぞれ異なる無線リソースを割当てるようにしてもよい。例えば、図１２Ｂに示すように、アクセス方式３を用いるグループ１のユーザ装置ＵＥが用いるリソース（リソース＃１）と、アクセス方式３を用いるグループ２のユーザ装置ＵＥが用いるリソース（リソース＃２）とを、周波数方向又は（及び）時間方向で分割するようにしてもよい。
【００４６】
基地局ｅＮＢは、アクセス方式毎に割当てられる無線リソースの位置を、報知情報を用いてセル内のユーザ装置ＵＥにブロードキャスト（報知）するようにしてもよいし、制御チャネルで用いられるユーザ装置ＵＥ個別のシグナリングメッセージ（例えばＲＲＣメッセージ又はＤＣＩなど）を用いて、ユーザ装置ＵＥ個別に通知するようにしてもよい。
【００４７】
＜機能構成＞
以上説明した複数の実施の形態の動作を実行するユーザ装置ＵＥ及び基地局ｅＮＢの機能構成例を説明する。
【００４８】
（ユーザ装置）
図１４は、実施の形態に係るユーザ装置の機能構成の一例を示す図である。図１４に示すように、ユーザ装置ＵＥは、信号送信部１０１と、信号受信部１０２と、選択部１０３と取得部１０４とを有する。なお、図１４は、ユーザ装置ＵＥにおいて本発明の実施の形態に特に関連する機能部のみを示すものであり、少なくともＬＴＥに準拠した動作を行うための図示しない機能も有するものである。また、図１４に示す機能構成は一例に過ぎない。本実施の形態に係る動作を実行できるのであれば、機能区分や機能部の名称はどのようなものでもよい。ただし、これまでに説明したユーザ装置ＵＥの処理の一部（例：特定の１つ又は複数の変形例、具体例のみ等）を実行可能としてもよい。
【００４９】
信号送信部１０１は、ユーザ装置ＵＥから送信されるべき上位のレイヤの信号から、物理レイヤの各種信号を生成し、無線送信する機能を含む。また、信号送信部１０１は、選択部１０３で選択されたアクセス方式で規定される処理手順に従って基地局ｅＮＢに上りリンクの信号を送信する機能を有する。また、信号送信部１０１は、選択部１０３で選択されたアクセス方式で規定される処理手順に従って基地局ｅＮＢに上りリンクの信号を送信する場合、選択されたアクセス方式に対して予め規定された無線リソースを用いて上りリンクの信号を送信するようにしてもよい。
【００５０】
信号受信部１０２は、他のユーザ装置ＵＥ又は基地局ｅＮＢから各種の信号を無線受信し、受信した物理レイヤの信号からより上位のレイヤの信号を取得する機能を含む。また、信号受信部１０２は、選択部１０３で選択されたアクセス方式に従って信号送信部１０１から送信された上りリンクの信号に対する基地局ｅＮＢからの応答を受信する機能を有する。
【００５１】
選択部１０３は、上りリンクにおける通信を開始する際に用いられる複数のアクセス方式のうち、いずれか１つのアクセス方式を選択する機能を有する。また、選択部１０３は、アクセス方式指示情報と、ユーザ装置ＵＥ自身において認識される所定のパラメータとを比較することで、いずれか１つのアクセス方式を選択するようにしてもよい。また、選択部１０３は、グループ情報と、ユーザ装置ＵＥ自身において認識される所定のパラメータとを比較することで、ユーザ装置ＵＥ自身が属するグループを判断すると共に、ユーザ装置自身が属するグループとアクセス方式指示情報とを比較することで、いずれか１つのアクセス方式を選択するようにしてもよい。また、選択部１０３は、信号受信部１０２において、選択されたアクセス方式で規定される処理手順に従って送信した上りリンクの信号に対する基地局ｅＮＢからの応答が受信されない場合、当該選択されたアクセス方式とは異なる他のアクセス方式を選択するようにしてもよい。
【００５２】
取得部１０４は、基地局ｅＮＢからアクセス方式指示情報を取得する機能を有する。また、取得部１０４は、基地局ｅＮＢから、グループ情報とアクセス方式指示情報とを取得する機能を有する。また、取得部１０４は、アクセス方式切替え情報を基地局ｅＮＢから取得する機能を有する。
【００５３】
（基地局）
図１５は、実施の形態に係る基地局の機能構成の一例を示す図である。図１５に示すように、基地局ｅＮＢは、信号送信部２０１と、信号受信部２０２と、通知部２０３とを有する。なお、図１５は、基地局ｅＮＢにおいて本発明の実施の形態に特に関連する機能部のみを示すものであり、少なくともＬＴＥに準拠した動作を行うための図示しない機能も有するものである。また、図１５に示す機能構成は一例に過ぎない。本実施の形態に係る動作を実行できるのであれば、機能区分や機能部の名称はどのようなものでもよい。ただし、これまでに説明した基地局ｅＮＢの処理の一部（例：特定の１つ又は複数の変形例、具体例のみ等）を実行可能としてもよい。
【００５４】
信号送信部２０１は、基地局ｅＮＢから送信されるべき上位のレイヤの信号から、物理レイヤの各種信号を生成し、無線送信する機能を含む。信号受信部２０２は、ユーザ装置ＵＥから各種の信号を無線受信し、受信した物理レイヤの信号からより上位のレイヤの信号を取得する機能を含む。
【００５５】
通知部２０３は、ユーザ装置ＵＥに、アクセス方式指示情報、グループ情報又は／及びアクセス方式切替え情報を通知する機能を有する。
【００５６】
以上説明した基地局ｅＮＢ及びユーザ装置ＵＥの機能構成は、全体をハードウェア回路（例えば、１つ又は複数のＩＣチップ）で実現してもよいし、一部をハードウェア回路で構成し、その他の部分をＣＰＵとプログラムとで実現してもよい。
【００５７】
（ユーザ装置）
図１６は、実施の形態に係るユーザ装置のハードウェア構成の一例を示す図である。図１６は、図１４よりも実装例に近い構成を示している。図１６に示すように、ユーザ装置ＵＥは、無線信号に関する処理を行うＲＦ（Radio Frequency）モジュール３０１と、ベースバンド信号処理を行うＢＢ（Base Band）処理モジュール３０２と、上位レイヤ等の処理を行うＵＥ制御モジュール３０３とを有する。
【００５８】
ＲＦモジュール３０１は、ＢＢ処理モジュール３０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール３０２に渡す。ＲＦモジュール３０１は、例えば、図１４の信号送信部１０１及び信号受信部１０２の一部を含む。
【００５９】
ＢＢ処理モジュール３０２は、ＩＰパケットとデジタルベースバンド信号とを相互に変換する処理を行う。ＤＳＰ（Digital Signal Processor）３１２は、ＢＢ処理モジュール３０２における信号処理を行うプロセッサである。メモリ３２２は、ＤＳＰ３１２のワークエリアとして使用される。ＲＦモジュール３０１は、例えば、図１４の信号送信部１０１の一部、信号受信部１０２の一部、選択部１０３及び取得部１０４を含む。
【００６０】
ＵＥ制御モジュール３０３は、ＩＰレイヤのプロトコル処理、各種アプリケーションの処理等を行う。プロセッサ３１３は、ＵＥ制御モジュール３０３が行う処理を行うプロセッサである。メモリ３２３は、プロセッサ３１３のワークエリアとして使用される。ＵＥ制御モジュール３０３は、図１４の取得部１０４を含んでいてもよい。
【００６１】
（基地局）
図１７は、実施の形態に係る基地局のハードウェア構成の一例を示す図である。図１７は、図１５よりも実装例に近い構成を示している。図１７に示すように、基地局ｅＮＢは、無線信号に関する処理を行うＲＦモジュール４０１と、ベースバンド信号処理を行うＢＢ処理モジュール４０２と、上位レイヤ等の処理を行う装置制御モジュール４０３と、ネットワークと接続するためのインタフェースである通信ＩＦ４０４とを有する。
【００６２】
ＲＦモジュール４０１は、ＢＢ処理モジュール４０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール４０２に渡す。ＲＦモジュール４０１は、例えば、図１５に示す信号送信部２０１及び信号受信部２０２の一部を含む。
【００６３】
ＢＢ処理モジュール４０２は、ＩＰパケットとデジタルベースバンド信号とを相互に変換する処理を行う。ＤＳＰ４１２は、ＢＢ処理モジュール４０２における信号処理を行うプロセッサである。メモリ４２２は、ＤＳＰ４１２のワークエリアとして使用される。ＢＢ処理モジュール４０２は、例えば、図１５に示す信号送信部２０１の一部、信号受信部２０２の一部及び通知部２０３を含む。
【００６４】
装置制御モジュール４０３は、ＩＰレイヤのプロトコル処理、ＯＡＭ（Operation and Maintenance）処理等を行う。プロセッサ４１３は、装置制御モジュール４０３が行う処理を行うプロセッサである。メモリ４２３は、プロセッサ４１３のワークエリアとして使用される。補助記憶装置４３３は、例えばＨＤＤ等であり、基地局ｅＮＢ自身が動作するための各種設定情報等が格納される。装置制御モジュール４０３は、例えば、図１５に示す通知部２０３を含んでいてもよい。
【００６５】
＜まとめ＞
以上、実施の形態によれば、基地局とユーザ装置とを有する無線通信システムにおけるユーザ装置であって、上りリンクにおける通信を開始する際に用いられる複数のアクセス方式のうち、いずれか１つのアクセス方式を選択する選択部と、選択されたアクセス方式で規定される処理手順に従って前記基地局に上りリンクの信号を送信する通信部と、を有するユーザ装置が提供される。このユーザ装置ＵＥにより、様々なアクセス方式を適応的に切替えることが可能な技術が提供される。
【００６６】
また、前記基地局から、所定のパラメータとアクセス方式とが対応づけられたアクセス方式指示情報を取得する取得部、を有し、前記選択部は、取得したアクセス方式指示情報と、当該ユーザ装置において認識される前記所定のパラメータとを比較することで、前記いずれか１つのアクセス方式を選択するようにしてもよい。これにより、信号受信品質又は変調方式などのパラメータに応じて、アクセス方式を適応的に切替えることが可能になる。
【００６７】
また、前記基地局から、所定のパラメータとグループとが対応づけられたグループ情報と、グループごとにアクセス方式が対応づけられたアクセス方式指示情報とを前記基地局から取得する取得部、を有し、前記選択部は、取得したグループ情報と、当該ユーザ装置において認識される前記所定のパラメータとを比較することで、当該ユーザ装置が属するグループを判断すると共に、当該ユーザ装置が属するグループと前記アクセス方式指示情報とを比較することで、前記いずれか１つのアクセス方式を選択するようにしてもよい。これにより、例えば、信号受信品質又は変調方式などのパラメータに応じて、アクセス方式を適応的に切替えることが可能になる。
【００６８】
また、前記選択部は、前記通信部において、前記選択されたアクセス方式で規定される処理手順に従って送信した上りリンクの信号に対する前記基地局からの応答が受信されない場合、前記選択されたアクセス方式とは異なる他のアクセス方式を選択し、前記通信部は、前記他のアクセス方式で規定される処理手順に従って前記基地局に上りリンクの信号を送信するようにしてもよい。これにより、ユーザ装置ＵＥが自らアクセス方式を適応的に切替えることが可能になる。
【００６９】
また、前記複数のアクセス方式のうち、最初に選択すべきアクセス方式と、選択したアクセス方式に従って送信した上りリンクの信号に対する前記基地局からの応答を受信できない場合に選択すべきアクセス方式とを示すアクセス方式切替え情報を前記基地局から取得する取得部と、を有し、前記選択部は、前記アクセス方式切替え情報に示される順序に基づいてアクセス方式を選択するようにしてもよい。これにより、基地局ｅＮＢは、ユーザ装置ＵＥが試行するアクセス方式の順序を指示することが可能になる。
【００７０】
また、前記通信部は、選択されたアクセス方式で規定される処理手順に従って前記基地局に上りリンクの信号を送信する場合、前記選択されたアクセス方式に対して予め規定された無線リソースを用いて前記上りリンクの信号を送信するようにしてもよい。これにより、アクセス方式毎に無線リソースを分割することができ、無線リソースを効率的に利用することが可能になる。
【００７１】
また、実施の形態によれば、基地局とユーザ装置とを有する無線通信システムにおけるユーザ装置が実行する通信方法であって、上りリンクにおける通信を開始する際に用いられる複数のアクセス方式のうち、いずれか１つのアクセス方式を選択するステップと、選択されたアクセス方式で規定される処理手順に従って前記基地局に上りリンクの信号を送信するステップと、を有する通信方法が提供される。この通信方法により、様々なアクセス方式を適応的に切替えることが可能な技術が提供される。
【００７２】
＜実施形態の補足＞
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００７３】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ／基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００７４】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣシグナリング、ＭＡＣシグナリング、ブロードキャスト情報（ＭＩＢ（Master  Information  Block）、ＳＩＢ（System  Information  Block）））、その他の信号又はこれらの組み合わせによって実施されてもよい。また、ＲＲＣメッセージは、ＲＲＣシグナリングと呼ばれてもよい。また、ＲＲＣメッセージは、例えば、ＲＲＣ接続セットアップ（RRC Connection Setup）メッセージ、ＲＲＣ接続再構成（RRC Connection Reconfiguration）メッセージなどであってもよい。
【００７５】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００７６】
判定又は判断は、１ビットで表される値（０か１か）によって行われてもよいし、真偽値（Boolean：trueまたはfalse）によって行われてもよいし、数値の比較（例えば、所定の値との比較）によって行われてもよい。
【００７７】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。
【００７８】
ＵＥは、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００７９】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００８０】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００８１】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８２】
また、本明細書で説明した各態様／実施形態の処理手順、シーケンスなどは、矛盾の無い限り、順序を入れ替えてもよい。例えば、本明細書で説明した方法については、例示的な順序で様々なステップの要素を提示しており、提示した特定の順序に限定されない。
【００８３】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００８４】
所定の情報の通知（例えば、「Ｘであること」の通知）は、明示的に行うものに限られず、暗黙的（例えば、当該所定の情報の通知を行わない）ことによって行われてもよい。
【００８５】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００８６】
本発明は上記実施形態に限定されず、本発明の精神から逸脱することなく、様々な変形例、修正例、代替例、置換例等が本発明に包含される。
【００８７】
本特許出願は２０１６年３月３１日に出願した日本国特許出願第２０１６−０７３４６０号に基づきその優先権を主張するものであり、日本国特許出願第２０１６−０７３４６０号の全内容を本願に援用する。
【符号の説明】
【００８８】
ＵＥ  ユーザ装置
ｅＮＢ  基地局
１０１  信号送信部
１０２  信号受信部
１０３  選択部
１０４  取得部
２０１  信号送信部
２０２  信号受信部
２０３  通知部
３０１  ＲＦモジュール
３０２  ＢＢ処理モジュール
３０３  ＵＥ制御モジュール
３０４  通信ＩＦ
４０１  ＲＦモジュール
４０２  ＢＢ処理モジュール
４０３  装置制御モジュール
【図１】
2017169113.tif 000003
【図２】
2017169113.tif 000004
【図３】
2017169113.tif 000005
【図４】
2017169113.tif 000006
【図５】
2017169113.tif 000007
【図６Ａ】
2017169113.tif 000008
【図６Ｂ】
2017169113.tif 000009
【図６Ｃ】
2017169113.tif 000010
【図７】
2017169113.tif 000011
【図８Ａ】
2017169113.tif 000012
【図８Ｂ】
2017169113.tif 000013
【図９】
2017169113.tif 000014
【図１０】
2017169113.tif 000015
【図１１】
2017169113.tif 000016
【図１２Ａ】
2017169113.tif 000017
【図１２Ｂ】
2017169113.tif 000018
【図１３Ａ】
2017169113.tif 000019
【図１３Ｂ】
2017169113.tif 000020
【図１４】
2017169113.tif 000021
【図１５】
2017169113.tif 000022
【図１６】
2017169113.tif 000023
【図１７】
2017169113.tif 000024
【国際調査報告】
2017169113.tif 000025
2017169113.tif 000026
2017169113.tif 000027
2017169113.tif 000028